(57)【要約】  エアコン（１００）であって、本体（１）を含み、本体（１）は前向きに開放する吹出口（１０１）を有し、且つ、本体（１）にはエアコン（１００）の左右両側における少なくとも１つの箇所に気流を吹き出すように構成される側導風部材（２）が設けられる。
2020533546.tif 000002
【特許請求の範囲】
【請求項１】
前向きに開放する吹出口を有し、且つエアコンの左右両側における少なくとも１つの箇所に気流を吹き出すように構成される側導風部材が設けられる本体を含む、
ことを特徴とするエアコン。
【請求項２】
前記側導風部材は前記本体の側部に設けられ、且つ前記側導風部材には外へ送風するように構成される送風孔が設けられる、
ことを特徴とする請求項１に記載のエアコン。
【請求項３】
前記側導風部材における送風孔により気流分散構造が構成される、
ことを特徴とする請求項２に記載のエアコン。
【請求項４】
前記気流分散構造は細孔、気泡、ルーバー、羽根のうちの少なくとも一つを含む、
ことを特徴とする請求項３に記載のエアコン。
【請求項５】
前記側導風部材は内部に空間を有するケースであり、且つ前記側導風部材は前記吹出口に連通する側吸気口を有する、
ことを特徴とする請求項１〜４のいずれか１項に記載のエアコン。
【請求項６】
前記側吸気口は前記吹出口の出口の後方に設けられ、且つ前記吹出口の出口に沿って延在する長尺形状である、
ことを特徴とする請求項５に記載のエアコン。
【請求項７】
前記側吸気口の多くとも一部が前記吹出口内に延在する、
ことを特徴とする請求項５に記載のエアコン。
【請求項８】
前記側導風部材の外側面に送風孔を有する、
ことを特徴とする請求項５に記載のエアコン。
【請求項９】
前記本体の左右両側にいずれも前記側導風部材が設けられる、
ことを特徴とする請求項１〜８のいずれか１項に記載のエアコン。
【請求項１０】
前記側導風部材は前記エアコンの側板として形成される、
ことを特徴とする請求項１〜９のいずれか１項に記載のエアコン。
【請求項１１】
前記吹出口の出口に前記吹出口を開放又は閉鎖させるように構成される導風板が設けられ、前記導風板に細孔、羽根、ルーバー、気泡のうちの少なくとも一つを有する、
ことを特徴とする請求項１〜１０のいずれか１項に記載のエアコン。
【発明の詳細な説明】
【技術分野】
【０００１】
本発明は、空気調節技術の分野に関し、特にエアコンに関する。
【背景技術】
【０００２】
極端な天候が増えるのに伴い、エアコンはますます多くの家庭で利用されるようになり、人々の生活と仕事により良い環境を提供している。しかしながら、エアコンを使用する過程で、エアコンが吹き出した気流が利用者に直接当たるため、不快感が生じてしまい、人体と環境の温度が低い場合、冷風に吹かれれば不快感はある。特に高齢者の場合には、このような不快感はより一層顕著になる。
【発明の概要】
【発明が解決しようとする課題】
【０００３】
本発明は、関連する技術における技術的課題の一つを少なくともある程度で解決することを目的とする。そのため、本発明は、導風効果に優れており、より快適に利用できるエアコンを提供する。
【課題を解決するための手段】
【０００４】
本発明の実施例のエアコンは、本体を含み、前記本体は前向きに開放する吹出口を有し、且つ、前記本体に前記エアコンの左右両側における少なくとも１つの箇所に気流を吹き出すように構成される側導風部材が設けられる。
【０００５】
本発明の実施例のエアコンは、導風効果に優れており、より快適に利用できる。
【０００６】
また、本発明の上記の実施例のエアコンは、以下の付加的な技術的特徴を有してもよい。
【０００７】
本発明の一つの実施例において、前記側導風部材は前記本体の側部に設けられ、且つ、前記側導風部材には外へ送風するように構成される送風孔が設けられる。
【０００８】
本発明の一つの実施例において、前記側導風部材における送風孔により気流分散構造が構成される。
【０００９】
本発明の一つの実施例において、前記気流分散構造は細孔、気泡、ルーバー、羽根のうちの少なくとも一つを含む。
【００１０】
本発明の一つの実施例において、前記側導風部材は内部に空間を有するケースであり、且つ、前記側導風部材は前記吹出口に連通する側吸気口を有する。
【００１１】
本発明の一つの実施例において、前記側吸気口は前記吹出口の出口の後方に設けられ且つ前記吹出口の出口に沿って延在する長尺形状である。
【００１２】
本発明の一つの実施例において、前記側吸気口の多くとも一部が前記吹出口内に延在する。
【００１３】
本発明の一つの実施例において、前記側導風部材の外側面に送風孔を有する。
【００１４】
本発明の一つの実施例において、前記本体の左右両側にいずれも前記側導風部材が設けられる。
【００１５】
本発明の一つの実施例において、前記側導風部材は前記エアコンの側板として形成される。
【００１６】
本発明の一つの実施例において、前記吹出口の出口に前記吹出口を開放又は閉鎖させるように構成される導風板が設けられ、前記導風板に細孔、羽根、ルーバー、気泡のうちの少なくとも一つを有する。
【図面の簡単な説明】
【００１７】
【図１】本発明の一つの実施例のエアコンを概略的に示す図である。
【図２】ある方向から見た本発明の一つの実施例のエアコンの側導風部材を概略的に示す図である。
【図３】図２とは異なる方向から見た本発明の一つの実施例のエアコンの側導風部材を概略的に示す図である。
【図４】本発明の一つの実施例のエアコンを概略的に示す図であり、導風板は開けている。
【図５】本発明の一つの実施例のエアコンを概略的に示す図であり、導風板は閉じている。
【発明を実施するための形態】
【００１８】
次に、本発明の実施例を詳細に説明し、図面の部分に実施例の例を示している。常に同一又は類似する符号で、同一もしくは類似する構成要素又は同一もしくは類似する機能を有する構成要素を表す。図面を参照して説明される下記の実施例は例示的なもので、本発明を解釈するためのものに過ぎず、本発明に対する制限として理解されるべきではない。
【００１９】
図１に示すように、本発明の実施例のエアコン１００は、本体１を含み、前記本体１は前向きに開放する吹出口１０１を有し、且つ、前記本体１に前記エアコン１００の左右両側における少なくとも１つの箇所に気流を吹き出すように構成される側導風部材２が設けられる。
【００２０】
本発明の実施例のエアコン１００において、エアコン１００に側導風部材２が設けられ、側導風部材２は吹出口１０１から送り出される気流の一部をエアコン１００の側面から送り出すことができ、エアコン１００の側面から送り出される気流がエアコン１００の真正面から出ないため、利用者はエアコン１００の正面から出た気流に吹かれることはなく、気流に当たる感覚はないという効果を実現する。
【００２１】
また、吹出口１０１が前方に送風するため、気流に当たる感覚がほしい場合には、気流は吹出口１０１から直接送り出され、エアコン１００の側面に送り出される気流はわずかである又はないので、吹出口１０１から送り出される気流の強度に影響はない。すなわち、本発明のエアコン１００は、関連する技術でエアコン１００が真正面に送風する（気流に当たる感覚がある）ことを実現するとともに、側面送風の機能を加えているため、関連する技術としての従来のエアコン１００よりも、送風の効果が多様化している。
【００２２】
なお、本発明において側導風部材２は、エアコン１００の吹出口１０１から送り出される気流の少なくとも一部をエアコン１００の両側にガイドできるのであれば、エアコン１００における任意の場所に設けることができる。例えば、側導風部材２は、側面に送風するように吹出口１０１内に設けられる。また、本発明はエアコン１００の側面に送風するいくつかの実施形態を提供している。
【００２３】
図１に示すように、本発明のいくつかの実施例において、前記側導風部材２は前記本体１の側部に設けられ、且つ、前記側導風部材２には外へ送風するように構成される送風孔２０１が形成されている。側部に設けられている導風部材は直接気流をガイドして、側面から出た気流に対して直接コントロールすることで、側面送風はより一層実現しやすくなる。
【００２４】
好ましくは、前記側導風部材２における送風孔２０１により気流分散構造が構成される。気流分散構造により、側面から送り出される気流を分散させることで、気流に当たる感覚は緩和され、エアコン１００の側面にいても、「気流に当たる感覚はなくても、涼しく感じられる」という効果を実現できる。
【００２５】
さらに、前記気流分散構造は細孔、気泡、ルーバー、羽根のうちの少なくとも一つを含む。
【００２６】
図２及び図３に示すように、本発明の一つの実施例において、前記側導風部材２は内部に空間を有するケースであり、且つ、前記側導風部材２は前記吹出口１０１に連通する側吸気口２０２を有する。側導風部材２の側吸気口２０２は吹出口１０１の気流を側導風部材２内にガイドして、側導風部材２から送り出すことができる。
【００２７】
なお、特に吹出口１０１が閉鎖されている場合、エアコン１００がオンしている状態であれば、気流は側導風部材２の側吸気口２０２を介して側導風部材２の内に取り込まれ、そして側導風部材２における所定の部位から送り出されることで、正面から気流に当たる感覚はないという効果を実現できる。さらに、空間に取り込まれた冷風（又は温風）は空間が存在するため逆流しにくくなり、より多くの気流は側導風部材２から送り出され、エアコン１００の冷房又は暖房効率を高めるとともに、エネルギーの利用率を向上させることができる。
【００２８】
好ましくは、図４及び図５に示すように、前記側吸気口２０２は前記吹出口１０１の出口の後方に設けられ且つ前記吹出口１０１の出口に延在する長尺形状である。長尺形状の側吸気口２０２であるため、より多くの冷風（又は温風）を取り込むことができ、側方吹出の効果をより一層向上できる。
【００２９】
さらに、側方吹出口１０１は吹出口１０１の出口に隣接して設けられ、気流が側方吹出口１０１の出口に流動すると、導風板３又はフロントパネルに当たって流れる方向を変えるため、より多くの気流は側導風部材２に送られ、空気処理の効率がより一層向上する。
【００３０】
好ましくは、前記側吸気口２０２の多くとも一部が前記吹出口１０１内に延在する。これによって、側吸気口２０２はエアコン１００の本体１により安定的に接続されることになり、より多くの気流は側導風部材２内に取り込まれ、側面への導風の効果を改善できる。
【００３１】
さらに、前記側導風部材２の外側面に送風孔２０１を有する。
【００３２】
本発明の一つの実施例において、前記本体１の左側両側にいずれも前記側導風部材２が設けられる。当然ながら、本体１の片側のみに側導風部材２が設けられてもよい。つまり、本体１の左側に側導風部材２が設けられていてもよいし、本体１の右側に側導風部材２が設けられていてもよいし、又は本体１の左側及び右側にいずれも側導風部材２が設けられていてもよい。
【００３３】
また、前記側導風部材２は前記エアコン１００の側板として形成される。これによってエアコン１００の構造が簡素化され、冷房（又は暖房）機能はより実現しやすくなる。
【００３４】
図４及び図５に示すように、本発明の一つの実施例において、前記吹出口１０１の出口に前記吹出口１０１を開放又は閉鎖させるように構成される導風板３が設けられ、前記導風板３に細孔、羽根、ルーバー、気泡のうちの少なくとも一つを有する。導風板３により気流に当たる感覚があることとその感覚がないことで切り替えることができ、導風部材は気流をガイドできる。
【００３５】
また、エアコン１００のその他の構造（例えば、風車等）は、本発明においてその説明は省略される。
【００３６】
本明細書の説明において、用語「一つの実施例」、「いくつかの実施例」、「例示的な実施例」、「例」、「具体例」、又は「いくつかの例」等を含んでいる説明は、当該実施例又は例を用いて説明している具体的な特徴、構造、材料又は利点は本発明の少なくとも一つの実施例又は例に含まれていることを意味する。本明細書において、上記の用語を用いた例示的な説明は、必ずしも同一の実施例又は例に限定されるものとは限らない。さらに、説明されている具体的な特徴、構造、材料又は利点はいずれか一つ以上の実施例又は例において適切な方式で組み合わせることができる。また、当業者は、矛盾が生じないことが前提で、本明細書に記載の異なる実施例又は例及び異なる実施例又は例の特徴を互いに組み合わせることもできる。
【００３７】
本発明の実施例を示しそれを説明しているが、当業者であれば、上記の実施例は例示的なものであり、本発明に対する制限として理解されるべきではなく、本発明の範囲内において上記の実施例に変更、補正、差し替え及び変形を行うことができることは理解できる。
【符号の説明】
【００３８】
１  本体
２  側導風部材
３  導風板
１００  エアコン
１０１  吹出口
２０１  送風孔
２０２  側吸気口
【図１】
2020533546.tif 000003
【図２】
2020533546.tif 000004
【図３】
2020533546.tif 000005
【図４】
2020533546.tif 000006
【図５】
2020533546.tif 000007
【国際調査報告】
2020533546.tif 000008
2020533546.tif 000009
2020533546.tif 000010
2020533546.tif 000011